(57)【要約】      （修正有）【課題】従来の原料肉塊装置と比較して、原料肉塊の硬さをより均一にすることが可能な原料肉塊処理装置を提供する。【解決手段】原料肉塊処理装置において、原料肉塊Ｍの表面に切目Ｍ３を形成するための切目形成手段２を備えるものとし、切目形成手段２を、該調味液注入手段により調味液が注入された原料肉塊Ｍの低歩留部位Ｍ２に切目Ｍ３を形成する様に構成する。切目形成手段２は、刃部２０と、箱部２１と、を有するものとし、箱部２１を、原料肉塊Ｍを収納可能に設け、刃部２０を、箱部２１と共に原料肉塊Ｍの周囲を周回させるための駆動手段を設ける。【選択図】図２
0003234653.tif 000002
【実用新案登録請求の範囲】
【請求項１】
原料肉塊処理装置であって、
原料肉塊の表面に切目を形成するための切目形成手段を備え、
該切目形成手段は、調味液注入手段より調味液が注入された該原料肉塊の低歩留部位に該切目を形成する様に構成されていることを特徴とする原料肉塊処理装置。
【請求項２】
前記切目形成手段は、前記低歩留部位の表面の周方向全周に亘る前記切目を形成するものであることを特徴とする請求項１に記載に原料肉塊処理装置。
【請求項３】
前記切目形成手段は、前記低歩留部位の表面に周方向に連続する前記切目を形成するものであることを特徴とする請求項１又は２に記載の原料肉塊処理装置。
【請求項４】
前記切目形成手段は、前記低歩留部位の表面に間欠的に前記切目を形成するものであることを特徴とする請求項１又は２に記載の原料肉塊処理装置。
【請求項５】
前記切目形成手段は、前記原料肉塊の長手方向に対して略直交する様に前記切目を形成することを特徴とする請求項１乃至４の何れかに記載の原料肉塊処理装置。
【請求項６】
前記切目形成手段は、前記原料肉塊の長手方向に対して斜交する様に前記切目を形成することを特徴とする請求項１乃至４の何れかに記載の原料肉塊処理装置。
【請求項７】
前記切目形成手段は、刃を前記原料肉塊に対して略垂直に入れるものであることを特徴とする請求項１乃至６の何れかに記載の原料肉塊処理装置。
【請求項８】
前記切目形成手段は、刃を前記原料肉塊に対して斜めに入れるものであることを特徴とする請求項１乃至６の何れかに記載の原料肉塊処理装置。
【請求項９】
前記切目形成手段は、刃部と、箱部と、を有しており、
該箱部は、前記原料肉塊を収納可能に設けられ、
該刃部は、該箱部と共に該原料肉塊の周囲を周回可能に設けられていることを特徴とする請求項２又は請求項２を引用する請求項３乃至８の何れかに記載の原料肉塊処理装置。
【請求項１０】
前記原料肉塊に、前記調味液を注入するための前記調味液注入手段を更に備えることを特徴とする請求項１乃至９の何れかに記載の原料肉塊処理装置。
【考案の詳細な説明】
【技術分野】
【０００１】
本発明は、原料肉塊処理装置に関し、より詳細には、切目形成手段を備える原料肉塊処理装置に関する。
【背景技術】
【０００２】
ハム、ソーセージ、ベーコン等の製品では、製品全体にわたり、均一な味であることが求められている。そこで、従来、ピックル液注入インジェクタを用いて、製品の原料である、豚肉、牛肉、家禽肉等の食肉塊（以下、原料肉塊という）に、所定量のピックル液や液体状の調味料に袋評される調味液を注入している（例えば、特許文献１を参照）。
【０００３】
このインジェクタでは、原料肉塊の搬送路として、送りコンベア（ベルトコンベア）を備えており、そのベルトコンベアの上方に多数の注入針を有する注入ヘッドを配設し、コンベヤで搬送される原料肉塊が注入ヘッドの真下に到達したときに、コンベヤを一時停止させるとともに、注入ヘッドを急降下させて注入針を原料肉塊に刺さ込み前記ピックル液を注入している。
【先行技術文献】
【特許文献】
【０００４】
【特許文献１】特開２０１２−１８７０６２号公報
【考案の概要】
【考案が解決しようとする課題】
【０００５】
原料肉塊は、生体由来である故に、肉質が均質とはなっていないため、調味液の供給量に対する注入される調味液の量（歩留）が、各部位毎に異なっている。そのため、従来の原料肉塊処理装置においては、歩留の良い部位はより柔らかくなり、歩留の悪いの部位は、それよりも硬くなってしまい、製品全体として硬さが均一にならないという問題があった。
【０００６】
そこで、本考案は、従来の原料肉塊処理装置と比較して、製品全体の硬さをより均一にすることが可能な原料肉塊処理装置を提供することを目的とする。
【課題を解決するための手段】
【０００７】
本考案は、原料肉塊処理装置であって、原料肉塊の表面に切目を形成するための切目形成手段を備え、該切目形成手段は、調味液注入手段より調味液が注入された該原料肉塊の低歩留部位に該切目を形成する様に構成されていることを特徴とする原料肉塊処理装置である。
【０００８】
尚、本考案は、前記切目形成手段を、前記低歩留部位の表面の周方向全周に亘る前記切目を形成するものとすることが可能である。又、本考案は、前記切目形成手段を、前記低歩留部位の表面に周方向に連続する前記切目を形成するものとすることが可能である。又、本考案は、前記切目形成手段を、前記低歩留部位の表面に間欠的に前記切目を形成するものとすることが可能である。又、本考案は、前記切目形成手段を、前記原料肉塊の長手方向に対して斜交する様に前記切目を形成するものとすることが可能である。
【０００９】
そして、本考案は、前記切目形成手段を、前記原料肉塊の長手方向に対して略直交する様に前記切目を形成するものとすることが可能である。又、本考案は、前記切目形成手段を、刃を前記原料肉塊に対して略垂直に入れるものとすることが可能である。又、本考案は、前記切目形成手段を、刃を前記原料肉塊に対して斜めに入れるものとすることが可能である。
【００１０】
更に、本考案は、前記切目形成手段を、刃部と、箱部と、を有するものとし、該箱部を、前記原料肉塊を収納可能に設け、該刃部を、該箱部と共に該原料肉塊の周囲を周回可能に設けることが可能である。又、本考案は、前記原料肉塊に、前記調味液を注入するための前記調味液注入手段を更に備えるものとすることが可能である。
【考案の効果】
【００１１】
本考案は、調味液注入手段で調味液が注入された原料肉塊に、切目形成手段によって該原料肉塊の低歩留部位の表面に切目を形成する原料肉塊処理装置を提供することで、従来と比較して、製品全体の硬さをより均一とすることが可能である。
【図面の簡単な説明】
【００１２】
【図１】本考案の実施形態における調味液注入手段の正面図である。
【図２】本考案の実施形態における切目形成手段を示す図であり、（ａ）が平面略図であり、（ｂ）が左側面略図である。
【図３】本考案の実施形態における原料肉塊の平面略図であり、（ａ）が表面に長手方向に対して略垂直且つ周方向に連続する切目を形成したもの、（ｂ）が表面に長手方向に対して斜交且つ周方向に連続する切目を形成したもの、（ｃ）が表面に長手方向に略垂直且つ周方向に間欠的に切目を形成したもの、を示す図である。
【図４】図３のIV−IV断面図に相当する図であり、（ａ）が刃を原料肉塊に対して略垂直に入れたもの、（ｂ）が刃を原料肉塊に対して斜めに入れたもの、を示す図である。
【考案を実施するための形態】
【００１３】
本考案は、考案者が、原料肉塊に調味液を注入した後に、原料肉塊の歩留が悪い部位に切目を入れ、調味料注入以後に通常行われる工程であるマッサージや加熱・燻煙を行うことで、当該部分がより柔らかく仕上がることを発見し、その知見に基づくものである。
【００１４】
本考案の実施形態を図１乃至図４に基づき説明する。先ず、本実施形態の構成について説明する。本実施形態の原料肉塊処理装置は、調味液注入手段１と、切目形成手段２と、を備えている。
【００１５】
調味液注入手段１は、ピックル液に代表される調味液を原料肉塊Ｍに注入するために設けられており、公知のインジェクタと同様の構成を適宜採用することが可能である。例えば、調味液注入手段１は、注入ヘッド３と、原料肉塊Ｍを搬送するための搬送路の一例である送りコンベア４と、筐体５と、を有している。注入ヘッド３は、そのホルダプレート６を介してガイドロッド７に固定されている。ガイドロッド７は、軸受筒８に挿着されている。又、注入ヘッド３は、連結パイプ９を介して調味液が供給される様になっている。
【００１６】
ホルダプレート６の上部には、コイルスプリングを収容するスプリングカバー１０が立設されており、その下部には、抑え板（カストリブロックともいう）１１と注入針１２が設けられている。
【００１７】
抑え板１１は、支持棒１３を介してホルダプレート６に保持されており、注入針１２の先端部が挿入される挿通孔が形成されている。注入針１２は、原料肉塊Ｍにピックル液や液体状の調味料等の調味液を注入するために設けられており、その本数や長さ、直径等は必要に応じて適宜選択可能であるが、例えば、その直径は、約0.4 mmである。
【００１８】
ガイドロッド７の下端部は、上下動アーム１４に固定されており、上下動アーム１４の中央部には、コネクティングロッド１５が連結されている。コネクティングロッド１５の下端部は、取付円板１６に連結されている。又、調味液注入手段１には、取付円板１６を介して上下動アーム１４（コネクティングロッド１５）を上下動させる手段として、二相誘導電動機（モータ）１７、減速機１８及び位置センサ１９が設けられている。
【００１９】
原料肉塊Ｍは、生体由来である故に、肉質が均一ではなく、その部位毎に前記調味液の供給量に対する原料肉塊Ｍに注入される量（歩留）が異なっており、比較的に歩留の良い部位Ｍ１（以下、高歩留部位Ｍ１ともいう）と、逆に、比較的に歩留の悪い部位Ｍ２（以下、低歩留部位Ｍ２ともいう）を有している。
【００２０】
例えば、原料肉塊Ｍが豚のロース肉であるとすると、通常、肩側の部位は、原料肉塊Ｍの質量の約250 ％乃至280 ％となるまで前記調味液を注入できるのに対し、腿側の部位は、原料肉塊Ｍの質量の約200 ％乃至250 ％となるまでしか該調味液を注入することができない。即ち、該ロース肉においては、肩側の部位が、高歩留部位Ｍ１と、腿側の部位が低歩留部位Ｍ２と、大まかに分けることができる。
【００２１】
切目形成手段２は、原料肉塊Ｍの低歩留部位Ｍ２の表面に切目Ｍ３を形成するために設けられており、刃部２０及び箱部２１を有している。刃部２０は、注入された前記調味液が、原料肉塊Ｍより漏れ出ることを防止するために、原料肉塊Ｍに対して、過度の圧力を掛けない様になっている。本実施形態においては、刃部２０は、食肉の切断に用いられる円盤刃が採用されており、そのため、切目形成手段２には、刃部２０を回転させるための回転手段（図示せず）を有している。尚、刃部２０の枚数等は、原料肉塊Ｍの長さ等に合わせて適宜選択可能である。
【００２２】
箱部２１は、調味液注入手段１により前記調味液が注入された原料肉塊Ｍが収容可能に設けられており、刃部２０により切目Ｍ３を形成する際に、原料肉塊Ｍの位置を保持する役割を担っている。本実施形態において、刃部２０と対向する位置を除く四方に壁体２２を有している。
【００２３】
刃部２０及び箱部２１は、図２（ｂ）中、二点鎖線で示すように原料肉塊Ｍが略静止した状態で、原料肉塊Ｍの周囲を同時に周回可能に設けられており、切目形成手段２は、そのための駆動手段（図示せず）を有している。それによって、切目形成手段２は、原料肉塊Ｍの周方向全周に亘る切目Ｍ３を形成する様に構成されている。
【００２４】
この際に、刃部２０は、例えば、原料肉塊Ｍに対して、その刃が、略垂直（図４（ａ）を参照）、又は、原料肉塊Ｍに対して斜めに（図４（ｂ）を参照）当たる様に構成されており、好ましくは、原料肉塊Ｍに約1 mm乃至25 mmの深さで後述する様な切目Ｍ３を入れる様に調整される。尚、切目Ｍ３の形状や深さは必要に応じて適宜選択可能である。
【００２５】
次に、本実施形態の原料肉塊処理装置を用いた原料肉塊Ｍの処理方法の一例について説明する。
（１）原料肉塊Ｍは、送りコンベア４によって、順次搬送され、調味料注入手段２の下へと搬送される。その後、調味液注入手段１が下降することで、原料肉塊Ｍに注入針１２が刺し入れられ、注入針１３より、前記調味液が原料肉塊Ｍに注入される。
【００２６】
（２）前記調味液が注入された原料肉塊Ｍは、切目形成手段２へと送られ。箱部２１に収容される。そして、原料肉塊Ｍに、刃部２０の刃が当てられ、刃部２０と共に箱部２１が原料肉塊Ｍの周囲を周回し、原料肉塊Ｍの低歩留部位Ｍ２に切目Ｍ３が形成される。
【００２７】
この際、原料肉塊Ｍには、例えば、以下に示すような切目Ｍ３を形成することが可能である。尚、切目Ｍ３の形状等は、必要に応じて適宜変更可能である。
【００２８】
（ａ）切目Ｍ３を、原料肉塊Ｍの長手方向Ａに対して略直交すると共に周方向に連続する様に形成することが可能である（図３（ａ）を参照）。
【００２９】
（ｂ）切目Ｍ３を、原料肉塊Ｍの長手方向Ａに対して斜交すると共に周方向に連続する様に形成することが可能である（図３（ｂ）を参照）。
【００３０】
（ｃ）切目Ｍ３を、原料肉塊Ｍの長手方向Ａに対して略直交すると共に周方向に間欠的に形成することが可能である（図３（ｃ）を参照）。
【００３１】
（３）その後の工程は、通常の工程と同様であり、切目Ｍ３を入れられた原料肉塊Ｍは、回転式のドラムを備えたマッサージ機（図示せず）を用いて、揉み解すことで、注入された前記調味液を食肉塊Ｍ全体に亘って、略均等に分散させられ、その後、揉み解された原料肉塊Ｍは、ケーシングに充填され、加熱・燻煙処理等がされることとなる。
【００３２】
前記マッサージ機で原料肉塊Ｍが揉み解される際に、原料肉塊Ｍに切目Ｍ３が形成されることで、低歩留部位Ｍ２をより柔らかくすることが可能であり、それによって、本実施形態においては、従来と比較して、製品全体の硬さをより均一とすることが可能となっている。
【００３３】
尚、原料肉塊Ｍに切目Ｍ３を形成する副次的な効果として、低歩留部位Ｍ２がより柔らかくなることで、原料肉塊Ｍを丸めやすくなり、前記ケーシングに充填しやすくなることが挙げられる。
【００３４】
本考案を、上記実施形態に基づき説明したが、本考案は、上記実施形態に限定されるものではなく、本考案の要旨を変更しない範囲で適宜変更可能である。
【００３５】
（ｉ）調味液注入手段１と切目形成手段２は、各々を別体として設けることも可能であり、又、調味液注入手段１と切目形成手段２とを一体として設けることも可能である。
【００３６】
（ii）上記実施形態においては、切目形成手段２の刃部２０は、原料肉塊Ｍの周囲を周回することで一の切目Ｍ３を形成するものとしたが、原料肉塊Ｍに対して周方向（例えば、原料肉塊Ｍの上下前後）に配設された複数の刃部２０を設け、該複数の刃部２０で同様の一の切目Ｍ３を形成するものとすることが可能である。
【符号の説明】
【００３７】
１    調味液注入手段      ２    切目形成手段        ３    注入ヘッド          
４    送りコンベア        ５    筐体                ６    ホルダプレート      
７    ガイドロッド        ８    軸受筒              ９    連結パイプ          
１０  スプリングカバー    １１  抑え板              １２  注入針              
１３  支持棒              １４  上下動アーム        １５  コネクティングロッド
１６  取付円板            １７  二相誘導電動機      １８  減速機              
１９  位置センサ          ２０  刃部                ２１  箱部                
２２  壁体                Ａ    長手方向            Ｍ    原料肉塊            
Ｍ１  高歩留部位          Ｍ２  低歩留部位          Ｍ３  切目                
【図１】
0003234653.tif 000003
【図２】
0003234653.tif 000004
【図３】
0003234653.tif 000005
【図４】
0003234653.tif 000006
【手続補正書】
【提出日】令和3年8月27日(2021.8.27)
【手続補正１】
【補正対象書類名】実用新案登録請求の範囲
【補正対象項目名】全文
【補正方法】変更
【補正の内容】
【実用新案登録請求の範囲】
【請求項１】
原料肉塊処理装置であって、
原料肉塊の表面に切目を形成するための切目形成手段を備え、
該切目形成手段は、調味液注入手段より調味液が注入された該原料肉塊の低歩留部位に該切目を形成する様に構成された刃部と、該原料肉塊を収納可能に設けられた箱部と、該刃部を該箱部と共に該原料肉塊の周囲を周回させるための駆動手段と、を有していることを特徴とする原料肉塊処理装置。
【請求項２】
原料肉塊処理装置であって、
原料肉塊の表面に切目を形成するための切目形成手段を備え、
該切目形成手段は、調味液注入手段より調味液が注入された該原料肉塊の低歩留部位に該切目を形成する様に構成された複数の刃部と、該原料肉塊を収納可能に設けられた箱部と、を有し、
該刃部は、該原料肉塊に対して周方向に配設されていることを特徴とする原料肉塊処理装置。
【請求項３】
前記刃部は、前記低歩留部位の表面の周方向全周に亘る前記切目を形成する様に構成されていることを特徴とする請求項１又は２に記載に原料肉塊処理装置。
【請求項４】
前記刃部は、前記低歩留部位の表面に周方向に連続する前記切目を形成する様に構成されていることを特徴とする請求項１乃至３の何れかに記載の原料肉塊処理装置。
【請求項５】
前記刃部は、前記低歩留部位の表面に間欠的に前記切目を形成する様に構成されていることを特徴とする請求項１乃至３の何れかに記載の原料肉塊処理装置。
【請求項６】
前記刃部は、前記低歩留部位に、前記原料肉塊の長手方向に対して略直交する前記切目を形成する様に構成されていることを特徴とする請求項１乃至５の何れかに記載の原料肉塊処理装置。
【請求項７】
前記刃部は、前記低歩留部位に、前記原料肉塊の長手方向に対して斜交する前記切目を形成する様に構成されていることを特徴とする請求項１乃至５の何れかに記載の原料肉塊処理装置。
【請求項８】
前記刃部は、前記原料肉塊に対して略垂直に当たる様に構成された刃を有していることを特徴とする請求項１乃至７の何れかに記載の原料肉塊処理装置。
【請求項９】
前記刃部は、前記原料肉塊に対して斜めに当たる様に構成された刃を有していることを特徴とする請求項１乃至７の何れかに記載の原料肉塊処理装置。
【請求項１０】
前記原料肉塊に、前記調味液を注入するための前記調味液注入手段を更に備えることを特徴とする請求項１乃至９の何れかに記載の原料肉塊処理装置。
【手続補正２】
【補正対象書類名】明細書
【補正対象項目名】０００７
【補正方法】変更
【補正の内容】
【０００７】
本考案は、原料肉塊処理装置であって、原料肉塊の表面に切目を形成するための切目形成手段を備え、該切目形成手段は、調味液注入手段より調味液が注入された該原料肉塊の低歩留部位に該切目を形成する様に構成された刃部と、該原料肉塊を収納可能に設けられた箱部と、該刃部を該箱部と共に該原料肉塊の周囲を周回させるための駆動手段と、を有していることを特徴とする原料肉塊処理装置である。
【手続補正３】
【補正対象書類名】明細書
【補正対象項目名】０００８
【補正方法】変更
【補正の内容】
【０００８】
又、本考案は、原料肉塊処理装置であって、原料肉塊の表面に切目を形成するための切目形成手段を備え、該切目形成手段は、調味液注入手段より調味液が注入された該原料肉塊の低歩留部位に該切目を形成する様に構成された複数の刃部と、該原料肉塊を収納可能に設けられた箱部と、を有し、該刃部は、該原料肉塊に対して周方向に配設されていることを特徴とする原料肉塊処理装置である。
【手続補正４】
【補正対象書類名】明細書
【補正対象項目名】０００９
【補正方法】変更
【補正の内容】
【０００９】
尚、本考案は、前記刃部を、前記低歩留部位の表面の周方向全周に亘る前記切目を形成する様に構成することが可能である。又、本考案は、前記刃部を、前記低歩留部位の表面に周方向に連続する前記切目を形成する様に構成することが可能である。又、本考案は、前記刃部を、前記低歩留部位の表面に間欠的に前記切目を形成する様に構成することが可能である。又、本考案は、前記刃部を、前記低歩留部位に、前記原料肉塊の長手方向に対して略直交する様に前記切目を形成する様に構成することが可能である。
【手続補正５】
【補正対象書類名】明細書
【補正対象項目名】００１０
【補正方法】変更
【補正の内容】
【００１０】
そして、本考案は、前記刃部を、前記低歩留部位に、前記原料肉塊の長手方向に対して斜交する様に前記切目を形成する様に構成することが可能である。又、本考案は、前記刃部を、前記原料肉塊に対して略垂直に当たる様に構成された刃を有するものとすることが可能である。又、本考案は、前記刃部を、前記原料肉塊に対して斜めに当たる様に構成された刃を有するものとすることが可能である。又、本考案は、前記原料肉塊に、前記調味液を注入するための前記調味液注入手段を更に備えるものとすることが可能である。